(57)【特許請求の範囲】
【請求項１】
屋根面を構成している既設の波形スレート板上に新設のカバールーフを被覆する屋根の葺替構造であって、波形スレート板の山部を跨いでその両側の谷部上に略逆Ｕ字状の支持フレームを載設し、該支持フレームには、波形スレート板を固定している既存のボルトの上部が下方から圧入されて係止される圧入係止部と、新設のカバールーフを貫通して上方から打入されたドリルビスの下端を固定するドリルビス固定部とを備え、上記圧入係止部は、既存のボルトの上部の外径よりも小径の小孔部と、小孔部を中心とした放射状の切り込みによって上下に弾性変形可能となった複数の板状片とで形成され、複数の板状片は小孔部内に既存のボルトの上部が下方から圧入されたときに上方に向かって弾性変形してボルトの雄ねじ部に食い込んで下方に戻るのを防止するクイックナット機能を有していることを特徴とする屋根の葺替構造。
【請求項２】
ドリルビス固定部の下方に所定の間隔をあけて圧入係止部を配置してなることを特徴とする請求項１記載の屋根の葺替構造。
【発明の詳細な説明】
【０００１】
【発明の属する技術分野】
本発明は、屋根の葺替構造に関し、詳しくは波形スレート板の改修工法に関するものである。
【０００２】
【従来の技術】
建築分野において、石綿スレート板は、耐火性、耐水性、耐久性に優れているとの理由から、屋根材として広く使用されているが、建築後かなりの年数が経過して改修が必要となった場合は、石綿スレート板をはがすことなく、石綿スレート板の上から新設のカバールーフを被覆し、ドリルビスをカバールーフから石綿スレート板に打入することで、カバールーフを石綿スレート板に固着することが一般に行われている。
【０００３】
【発明が解決しようとする課題】
ところが、ドリルビスを老巧化している石綿スレート板に打入すると、石綿スレート板の切り粉が落下して作業環境の悪化を招くという問題がある。特に石綿スレート板の場合には、人体に害を及ぼす石綿（アスベスト）を含んだ切り粉が落下する危険性がある。しかも従来ではドリルビスを石綿スレート板まで打ち込む必要があるために、ドリルビスの打入作業に非常に手間がかかり、葺替の作業効率が悪いという問題もある。さらに、石綿スレート板の上には、この石綿スレート板を固定している既存のボルトの上部が突出しており、新規のカバールーフを固着する際に、既存のボルトの上側の突出部分を切削により除去する必要があり、既存のボルトの数が多いためにその切削作業に非常に手間と時間がかかるという問題もある。
【０００４】
本発明は、上記従来例に鑑みてなされたもので、新設のカバールーフの葺替作業時において既設の波形スレート板の切り粉の落下を防止しながら、葺替作業を簡単且つ確実に行うことができ、さらに既設の波形スレート板の上に突出している既存のボルトの上部を切削する必要もなく、作業環境の改善及び作業効率の向上を図ることができる屋根の葺替構造を提供するにある。
【０００５】
【課題を解決するための手段】
上記課題を解決するために、本発明は、屋根に葺設されている既設の波形スレート板１上に新設のカバールーフ６を被覆する屋根の葺替構造であって、波形スレート板１の山部２を跨いでその両側の谷部３上に略逆Ｕ字状の支持フレーム１１を載設し、該支持フレーム１１には、波形スレート板１を固定している既存のボルト４の上部が下方から圧入されて係止される圧入係止部１６と、新設のカバールーフ６を貫通して上方から打入されたドリルビス９の下端を固定するドリルビス固定部１０とを備え、上記圧入係止部１６は、既存のボルト５の上部５ａの外径よりも小径の小孔部１７と、小孔部１７を中心とした放射状の切り込み１８によって上下に弾性変形可能となった複数の板状片１９とで形成され、複数の板状片１９は小孔部１７内に既存のボルト５の上部５ａが下方から圧入されたときに上方に向かって弾性変形してボルト５の雄ねじ部５ｂに食い込んで下方に戻るのを防止するクイックナット機能を有していることを特徴としており、このように構成することで、支持フレーム１１の圧入係止部１６に既存のボルト４の上部を圧入係止させる際に、既存のボルト５の上部５ａに位置合わせして支持フレーム１１を押し下げることで、圧入係止部１６を構成している複数の板状片１９がボルト５によって上方に弾性変形して、板状片１９がボルト５の雄ねじ部５ｂに食い込んで係止された状態となる。これにより、既存のボルト４の上部に対して支持フレーム１１を工具無しでワンタッチで取り付けることができる。また、ドリルビス９を波形スレート板１に打入する必要がないので、老巧化した波形スレート板１を傷めることなく且つ切り粉が落下するのを防止しながら、新設のカバールーフ６を強固に取付けることができる。さらに既設の波形スレート板１の上に突出している既存のボルト４の上部を利用して支持フレーム１１を取り付けているので、従来のように既存のボルトの上部を切削する必要がなくなり、作業効率が一層良くなる。
【０００６】
また上記ドリルビス固定部１０の下方位置に所定の間隔をあけて圧入係止部１６が設けられているのが好ましく、このように構成することで、新設のカバールーフ６の上からドリルビス９を打ち込む際に、圧入係止部１６に下方から圧入係止される既存のボルト４の上部とドリルビス９とが接触する恐れがなく、ドリルビス９による新設のカバールーフ６と支持フレーム１１との固着を確実に行えるようなる。
【０００７】
【発明の実施の形態】
以下、本発明の実施の形態を説明する。
【０００８】
本実施形態の屋根は、図１に示すように、既設の波形スレート板１の上に支持フレーム１１を介して新規のカバールーフ６を葺設して構成されている。
【０００９】
波形スレート板１は、フックボルト５を用いて屋根下地材に固着されている。屋根下地材は例えばＣ型鋼２０から成り、波形スレート板１の山部２に上方から打入されたフックボルト５の下端部がＣ型鋼２０に固着されている。図１中の３０はパッキン材、３１は締付ナットである。
【００１０】
新設のカバールーフ６は、例えば金属単板からなる。ここでは、フラット部７とＶ字溝部８とが幅方向（図１の左右方向、つまり軒棟方向と直交する方向）に連続して形成された波形の金属単板が使用されている。なお、カバールーフ６の形状は波形には限定されず、また金属単板に限定されるものでもなく、例えば上下二枚の金属外皮間に断熱材を充填したサンドイッチパネル等であってもよいものである。
【００１１】
支持フレーム１１は、図１〜図４に示すように、正面から見て略逆Ｕ字状に形成されており、平面視長方形状の頂部１２と、頂部１２の両側部から垂下した左右の脚部１３とが一体に形成されている。支持フレーム１１の頂部１２は、新設のカバールーフ６の上方から打入されたドリルビス９の下端が固定されるドリルビス固定部１０となっている。左右の脚部１３は、頂部１２の両側部からそれぞれ略く字状に垂下して、各下端部が丸みを持った形状をしており、く字状に屈曲した部分３ａを波形スレート板１の山部２の両側の傾斜面上にそれぞれ当接させてある。
【００１２】
支持フレーム１１の頂部１２よりも下方位置には、１枚の長方形状の金属薄板で構成されたクイックナット形成部材１４が水平に配置されている。このクイックナット形成部材１４の長さ方向の両端部は、図４、図５に示すように、左右の脚部１３の前後両端部をそれぞれ略Ｕ字状に折り返した支持部１５上に載設されており、クイックナット形成部材１４の両端部が各支持部１５にリベット２１にて止着されている。
【００１３】
クイックナット形成部材１４の中央には圧入係止部１６が設けられている。この圧入係止部１６は、波形スレート板１を固定するための既存のフックボルト５の上部５ａが下方から圧入されて係止されるものであり、本例では、ドリルビス固定部１０の略真下位置に所定の間隔をあけて圧入係止部１６を位置させてある。ここでは、圧入係止部１６は、既存のフックボルト５の上部５ａの外径よりも小径の小孔部１７と、小孔部１７を中心とした放射状の切り込み１８によって上下に弾性変形可能となった複数の板状片１９とで形成されている。複数の板状片１９は小孔部１７内に既存のフックボルト５の上部５ａが下方から圧入されたときに、上方に向かって弾性変形してフックボルト５の上部５ａの雄ねじ部５ｂに食い込んで下方に戻るのを防止する係止機能、いわゆるクイックナットとしての機能を有している。
【００１４】
しかして、図１に示す既設の波形スレート板１上に新設のカバールーフ６を被覆するにあたって、先ず、支持フレーム１１の左右の脚部１３を波形スレート板１の山部２を跨いでその両側の谷部３上に載設する。このとき、支持フレーム１１に設けられているクイックナット形成部材１４の圧入係止部１６を既存のフックボルト５の上部５ａに位置合わせして支持フレーム１１を押し下げると、圧入係止部１６を構成している複数の板状片１９がフックボルト５によって上方に弾性変形し、これにより図５（ｂ）のように雄ねじ部５ｂに食い込んで係止された状態となる。これにより、支持フレーム１１を既存のフックボルト５に対して工具無しでワンタッチで係止できるようになる。
【００１５】
その後、波形スレート板１上に新設のカバールーフ６を被覆し、カバールーフ６の上方からドリルビス９を打ち込んで、ドリルビス９の下端を支持フレーム１１の頂部１２に固定する。これにより、既設の波形スレート板１をはがさずに、その上に支持フレーム１１を介して新設のカバールーフ６を葺くことができ、スレート屋根の改修を手間をかけずに楽に行えるようになる。またドリルビス９を打ち込む際に、上記圧入係止部１６はドリルビス固定部１０の下方位置に所定間隔をあけて配置されているので、ドリルビス固定部１０にドリルビス９が打入されたときに、圧入係止部１６に対して下方から圧入係止されている既存のフックボルト５の上端に接触するのを防止でき、これによりドリルビス９による新設のカバールーフ６と支持フレーム１１との固着を確実に行うことができる。しかも従来のようにドリルビス９を既設の波形スレート板１に打入する必要がなく、支持フレーム１１の頂部１２に打入するだけでよいので、ドリルビス９による新設のカバールーフ６の取り付け作業をスムーズに行うことができる。従って、波形スレート板１の改修を手間をかけずに楽に行うことができるようになり、屋根の葺替作業の作業効率を大幅に向上させることができる。
【００１６】
また、ドリルビス９は老巧化した既設の波形スレート板１には打入されないために、切り粉が落下するのを防止でき、特に石綿スレート板の場合には人体の害となる石綿を含んだ切り粉が落下する危険性がないので、環境衛生上の問題も同時にクリアできることとなる。そのうえ、ドリルビス９は波形スレート板１には打入されないので、老巧化した波形スレート板１に大きな打撃力がかからず、波形スレート板１に割れやクラックが発生するのを十分に防止できるものであり、この結果、波形スレート板１を傷めることなく新設のカバールーフ６を強固に取付けることができるので、屋根葺替の施工の信頼性を高めることができる。さらに既設の波形スレート板１の上に突出している既存のボルト４の上部を利用して支持フレーム１１を取り付けるようにしているので、従来のように既存のボルトの上部を切削する作業を行う必要がなくなり、作業効率が一層良くなる。
【００１７】
また、カバールーフ６を葺設したときに、カバールーフ６の各Ｖ字溝８を支持フレーム１１の両側の脚部１３の上にそれぞれ載せているので、カバールーフ６自体で支持フレーム１１のぐらつきを防止でき、しかも、支持フレーム１１の脚部１３をく字状に屈曲させて既設の波形スレート板１の両側の傾斜面１ａにそれぞれ当接させているので、支持フレーム１１が一層安定化し、カバールーフ６の取り付けの安定化を図ることができ、施工の信頼性を高めることができる。もちろん、支持フレーム１１の脚部１３をく字状に屈曲させずに、ストレート状に形成してもよいものである。
【００１８】
前記実施形態では、圧入係止部１６をドリルビス固定部１０の真下に所定間隔をあけて配置していていたが、図６に示すように、圧入係止部１６をドリルビス固定部１０よりも前方（或いは後方）にずれた位置に配置するようにしてもよい。この場合、フックボルト５とドリルビス９とが前後にずれた位置に配置されるので、フックボルト５とドリルビス９の接触を確実に避けることができ、ドリルビス９による新設のカバールーフ６と支持フレーム１１との固着を確実に行うことができる。しかも、この例では圧入係止部１６を脚部１３から折り返された支持部１５に一体に設けてあるので、部品点数を削減して、構造の簡素化を図ることができるという利点もある。
【００１９】
本発明の屋根の葺替構造は、一般住宅だけでなく、工場とか体育館などの大型建物に広く適用可能である。
【００２０】
【発明の効果】
上記のように本発明のうち請求項１の発明は、屋根に葺設されている既設の波形スレート板上に新設のカバールーフを被覆する屋根の葺替構造であって、波形スレート板の山部を跨いでその両側の谷部上に略逆Ｕ字状の支持フレームを載設し、該支持フレームには、波形スレート板を固定している既存のボルトの上部が下方から圧入されて係止される圧入係止部と、新設のカバールーフを貫通して上方から打入されたドリルビスの下端を固定するドリルビス固定部とを備え、上記圧入係止部は、既存のボルトの上部の外径よりも小径の小孔部と、小孔部を中心とした放射状の切り込みによって上下に弾性変形可能となった複数の板状片とで形成され、複数の板状片は小孔部内に既存のボルトの上部が下方から圧入されたときに上方に向かって弾性変形してボルトの雄ねじ部に食い込んで下方に戻るのを防止するクイックナット機能を有しているので、支持フレームの圧入係止部に既存のボルトの上部を圧入係止させる際に、既存のボルトの上部に位置合わせして支持フレームを押し下げることで、圧入係止部を構成している複数の板状片がボルトによって上方に弾性変形して、板状片がボルトの雄ねじ部に食い込んで係止された状態となる。これにより、既存のボルトの上部に対して支持フレームを工具無しでワンタッチで取り付けることができ、支持フレームの取り付けが容易となり、さらに既設の波形スレート板の上に突出している既存のボルトの上部を利用して支持フレームを取り付けることができるので、従来のように既存のボルトの上部を切削する作業が不要となり、作業効率をより高めることができる。また、ドリルビスを波形スレート板に打入する必要がなく、支持フレームに打入するだけでよいので、屋根の葺替作業の作業効率を向上させることができると共に、ドリルビスは波形スレート板に打入されないために、老巧化した既設の波形スレート板を傷めることなく新設のカバールーフを強固に取付けることができるうえに、切り粉が落下するのを防止でき、特に石綿スレート板の場合には人体の害となる石綿を含んだ切り粉が落下する危険性がないので、環境衛生上の問題も同時にクリアできるものである。
【００２１】
また請求項２記載の発明は、請求項１記載の効果に加えて、ドリルビス固定部の下方位置に所定の間隔をあけて圧入係止部が設けられているので、新設のカバールーフの上からドリルビスを打ち込む際に、圧入係止部に下方から圧入係止されるフックボルトとドリルビスとが接触するのを防止できるので、ドリルビスによる新設のカバールーフと支持フレームとの固着を確実に行うことができる。
【図面の簡単な説明】
【図１】本発明の実施形態の一例を示す正面図である。
【図２】同上の支持フレームの斜視図である。
【図３】同上の支持フレームの側面図である。
【図４】同上の支持フレームの縦断面図である。
【図５】（ａ）は図４のＡ−Ａ線断面図、（ｂ）は圧入係止部の対するボルトの係止状態を説明する概略図である。
【図６】他の実施形態の斜視図である。
【符号の説明】
１  既設の波形スレート板
２  山部
３  谷部
４  既存のボルト
６  新設のカバールーフ
９  ドリルビス
１０  ドリルビス固定部
１１  支持フレーム
１６  圧入係止部
【図１】
0003577238.tif 000002
【図２】
0003577238.tif 000003
【図３】
0003577238.tif 000004
【図４】
0003577238.tif 000005
【図５】
0003577238.tif 000006
【図６】
0003577238.tif 000007